(57)【特許請求の範囲】
【請求項１】
赤外線送受信部を介して電子機器のリモコン情報を取得して記憶する操作部を有するリモコン装置において、前記操作部は、停電発生時に無停電電源装置から送信される停電発生を通知する信号を受信する機能を有しており、当該信号を受信した際に、予め取得しておいた電子機器のリモコン情報のうちシャットダウン処理に関する信号を当該電子機器に対して送信するようにしたことを特徴とするリモコン装置。
【請求項２】
リモコンによって操作可能であり、かつハードディスク等の記録手段を備えた電子機器と、前記電子機器に対して商用電源からの電力を供給し停電時にはバッテリ運転に切替えてバッテリからの電力を供給する無停電電源装置とからなる電源システムであって、赤外線送受信部を介して前記電子機器のリモコン情報を取得して記憶するマルチリモコン機能を有した操作部が無停電電源装置に接続され、停電発生時に、無停電電源装置から操作部に停電発生を通知する信号が送信され、操作部において、取得したリモコン情報のうちシャットダウン処理に関する信号を当該電子機器に対して送信するシャットダウン動作を行うようにしたことを特徴とする電源システム。
【請求項３】
リモコンによって操作可能であり、かつハードディスク等の記録手段を備えた電子機器と、前記電子機器に対して商用電源からの電力を供給し停電時にはバッテリ運転に切替えてバッテリからの電力を供給する無停電電源装置とからなる電源システムであって、前記無停電電源装置は、赤外線通信を行うための赤外線送受信部が接続され、かつ、赤外線送受信部を介して前記電子機器のリモコン情報を取得して記憶するマルチリモコン機能及びメモリ手段を内部に有しており、停電発生時に、取得したリモコン情報のうちシャットダウン処理に関する信号を当該電子機器に対して送信するシャットダウン動作を行うようにしたことを特徴とする電源システム。
【請求項４】
バッテリ残量を検出する手段を有し、バッテリ運転を開始してバッテリ残量が少なくなったことを検出した後に、前記シャットダウン動作に移行することを特徴とする請求項２又は３記載の電源システム。
【発明の詳細な説明】
【技術分野】
【０００１】
本発明は、無停電電源装置に関するものであり、詳しくは、無停電電源装置に接続されたＨＤＤレコーダ等の録画用電子機器に対して、停電時に適切なシャットダウン処理を指示するための機能に関するものである。
【背景技術】
【０００２】
パーソナルコンピュータやサーバ等においては、無停電電源装置からの停電信号やシャットダウン信号をそれぞれの機器におけるソフトウェアで受信し、無停電電源装置がバックアップしている間に、機器が自動でシャットダウン動作を行ってハードディスクドライブ（以下、ＨＤＤ）の保護を行っていた。
【０００３】
例えば、特許文献１に記載の発明は、複数のＵＰＳ（無停電電源装置）を備えたコンピュータシステムにおいて、適切な終了処理を行うことができるシャットダウン制御方法とシャットダウン制御システムを提供するものであり、複数のＵＰＳの状態が監視され、商用電源の異常時に異常検出信号が出力されると、その異常検出信号を出力したＵＰＳの電力供給先のＣＰ（コンピュータ）または外部記憶装置が特定され、その電力供給先がＣＰであれば、該当するＣＰに対して停止指示を行う構成となっている。また、電力供給先が外部記憶装置であれば、予め登録された管理情報が参照され、その外部記憶装置に格納されたファイルに対応する業務プログラムが検索され、更にこの業務プログラムを実行しているＣＰが特定され、特定したＣＰに対して検索した業務プログラムの停止指示が行われるように構成したものである。
【特許文献１】特開２００１−１７５３６７号公報
【発明の開示】
【発明が解決しようとする課題】
【０００４】
上記特許文献１記載の発明によれば、停電時にパーソナルコンピュータを適切にシャットダウンすることが可能なため、パーソナルコンピュータのＨＤＤを保護することが可能であった。
しかし、ＨＤＤレコーダやＨＤＤ内臓テレビなどの電子機器においては、シャットダウン等の信号を受信する機能が無いため、ＨＤＤ保護のために無停電電源装置を繋いでも、バックアップ時間の制約からバッテリ容量が無くなる前に手動で録画停止や再生停止操作を行わなければ完全な保護が行われず、ＨＤＤの破損や保護した映像情報の損失につながってしまうというおそれがあった。
【０００５】
本発明は、上記問題点に鑑みなされたものであり、ＨＤＤレコーダやＨＤＤ内臓テレビなどの電子機器においても適切にシャットダウン動作を行ってＨＤＤの保護が可能なリモコン装置及び電源システムを提供することを目的とするものである。
【課題を解決するための手段】
【０００６】
本発明の請求項１は、赤外線送受信部を介して電子機器のリモコン情報を取得して記憶する操作部を有するリモコン装置において、前記操作部は、停電発生時に無停電電源装置から送信される停電発生を通知する信号を受信する機能を有しており、当該信号を受信した際に、予め取得しておいた電子機器のリモコン情報のうちシャットダウン処理に関する信号を当該電子機器に対して送信するようにしたことを特徴とするリモコン装置である。
【０００７】
本発明の請求項２は、リモコンによって操作可能であり、かつハードディスク等の記録手段を備えた電子機器と、前記電子機器に対して商用電源からの電力を供給し停電時にはバッテリ運転に切替えてバッテリからの電力を供給する無停電電源装置とからなる電源システムであって、赤外線送受信部を介して前記電子機器のリモコン情報を取得して記憶するマルチリモコン機能を有した操作部が無停電電源装置に接続され、停電発生時に、無停電電源装置から操作部に停電発生を通知する信号が送信され、操作部において、取得したリモコン情報のうちシャットダウン処理に関する信号を当該電子機器に対して送信するシャットダウン動作を行うようにしたことを特徴とする電源システムである。
【０００８】
本発明の請求項３は、リモコンによって操作可能であり、かつハードディスク等の記録手段を備えた電子機器と、前記電子機器に対して商用電源からの電力を供給し停電時にはバッテリ運転に切替えてバッテリからの電力を供給する無停電電源装置とからなる電源システムであって、前記無停電電源装置は、赤外線通信を行うための赤外線送受信部が接続され、かつ、赤外線送受信部を介して前記電子機器のリモコン情報を取得して記憶するマルチリモコン機能及びメモリ手段を内部に有しており、停電発生時に、取得したリモコン情報のうちシャットダウン処理に関する信号を当該電子機器に対して送信するシャットダウン動作を行うようにしたことを特徴とする電源システムである。
【０００９】
本発明の請求項４は、請求項２又は３に加えて、バッテリ残量を検出する手段を有し、バッテリ運転を開始してバッテリ残量が少なくなったことを検出した後に、前記シャットダウン動作に移行することを特徴とする電源システムである。
【発明の効果】
【００１０】
請求項１記載の発明によれば、停電発生時に赤外線によるシャットダウン信号を出力してＨＤＤ内蔵型テレビ１２やＨＤＤレコーダ１３をシャットダウンさせることが可能となる。これにより、従来は無停電電源装置を繋いでもバッテリ容量が無くなる前に手動で録画停止や再生停止操作を行わなければならなかったものが、自動でシャットダウン可能となるため、ＨＤＤを内蔵した機器において、ＨＤＤの保護を適切に行うことができる。
また、本発明によるリモコン装置とすることで、既存の無停電電源装置に接続して利用することが可能となる。
【００１１】
請求項２、３記載の発明によれば、停電発生時に赤外線によるシャットダウン信号を出力してＨＤＤ内蔵型テレビ１２やＨＤＤレコーダ１３をシャットダウンさせることが可能となる。これにより、従来は無停電電源装置を繋いでもバッテリ容量が無くなる前に手動で録画停止や再生停止操作を行わなければならなかったものが、自動でシャットダウン可能となるため、ＨＤＤを内蔵した機器において、ＨＤＤの保護を適切に行うことができる。
【００１２】
請求項４記載の発明によれば、停電発生後もバッテリによって運転を継続し、バッテリ残量が少なくなってからシャットダウン動作を行うため、例えば、ＨＤＤレコーダにおいて録画中であった場合には、停電後もバッテリ残量が少なくなるまで録画動作を継続することができ、かつ、安全にシャットダウン動作が行える。
【発明を実施するための最良の形態】
【００１３】
本発明による電源システムは、リモコンによって操作可能であり、かつハードディスク等の記録手段を備えた電子機器と、前記電子機器に対して商用電源からの電力を供給し停電時にはバッテリ運転に切替えてバッテリからの電力を供給する無停電電源装置とからなる電源システムであって、赤外線送受信部を介して前記電子機器のリモコン情報を取得して記憶するマルチリモコン機能を有した操作部が無停電電源装置に接続され、停電発生時に、無停電電源装置から操作部に停電発生を通知する信号が送信され、操作部において、取得したリモコン情報のうちシャットダウン処理に関する信号を当該電子機器に対して送信するシャットダウン動作を行うようにしたことを特徴とするものである。以下、図面に基づいて詳細に説明する。
【実施例１】
【００１４】
本発明による電源システムの実施の形態を図面に基づいて説明する。図１に示すのは、本発明の電源システムの第１の実施例を表した構成図である。図１に示すように、無停電電源装置１０には商用電源１１が接続されており、無停電電源装置１０に電力ライン１４を介して接続されたＨＤＤ内蔵型テレビ１２、ＨＤＤレコーダ１３等の電子機器に電力を供給するとともに、内部のバッテリを充電して停電時に備える。
また、本発明による無停電電源装置１０には、様々なメーカーの種々の電子機器に対応してリモコン情報を取得可能な機能（以下、マルチリモコン機能）を備えた操作部１５が信号ケーブル１６を介して接続されており、この操作部１５には、赤外線送受信部１７が赤外線通信ケーブル１８を介して接続されている。この操作部１５及び赤外線送受信部１７からなるリモコン装置部分が本発明の特徴的部分である。
【００１５】
前記操作部１５は、マルチリモコン機能を備えるとともに、無停電電源装置１０本体において停電を検出した際に発せられる信号（この停電検出の信号を出力する点については従来から存在する技術であるため詳細は省略）を信号ケーブル１６を介して受信して、これに基づいて、電子機器に対してシャットダウン動作を指示するための信号を出力する機能を有する。ここでのシャットダウン動作を指示するための信号としては、例えば、ＨＤＤレコーダ等の映像機器に対する再生停止、予約録画停止、録画停止、電源ＯＦＦなどが挙げられ、これらはマルチリモコン機能によって取得したリモコン情報に基づくものである。
【００１６】
次に、停電時に備えて事前に設定しておく事項について説明する。図１のような接続関係において、ＨＤＤ内蔵型テレビ１２又はＨＤＤレコーダ１３に対して、操作部１５のマルチリモコン機能を用いて、予めリモコン情報を取得しておく。リモコン情報の取得方法は、リモコンのキーボタンを用いてメーカー名を指定するコード番号（例えば、３桁の数字）を送信することにより行われる。取得したリモコン情報は操作部１５において記憶される。
また、リモコン情報を取得した電子機器と赤外線通信が可能な位置に赤外線送受信部１７を設置しておく必要がある。
【００１７】
以上のような構成において停電が発生した場合の動作を、図３に示すフローチャートを用いて説明する。先ず、停電が発生すると、無停電電源装置１０の本来的機能として停電を検出する（S301）。無停電電源装置１０は停電検出と同時にバッテリ運転を開始する（S302）。バッテリ運転を開始すると、無停電電源装置１０の停電接点がＯＮして、操作部１５に対して信号が送信され（S303）、操作部１５において停電接点ＯＮを検出する（S304）。停電接点ＯＮを検出すると、操作部１５では、予め取得したリモコン情報を用いて、再生停止、予約録画停止、録画停止、電源ＯＦＦなどのシャットダウン信号を出力する（S305）。これらのシャットダウン信号は、赤外線送受信部１７から対応する電子機器に対して送信される（S306）。このシャットダウン信号を受信したＨＤＤレコーダ１３等の電子機器では、当該動作中であればシャットダウン処理を行い、非動作中の場合にはシャットダウン信号による影響は無い。以上の手順に必要な時間は短時間であるため、無停電電源装置１０で停電接点ＯＮを検出してから所定時間（例えば、１２０秒）経過時にはシャットダウン処理は終了しており、無停電電源装置も所定時間経過とともに停止する（S307）。
【００１８】
以上のように、実施例１の無停電電源装置１０によれば、停電発生時に赤外線によるシャットダウン信号を出力してＨＤＤ内蔵型テレビ１２やＨＤＤレコーダ１３をシャットダウンさせることが可能となる。これにより、従来は無停電電源装置を繋いでもバッテリ容量が無くなる前に手動で録画停止や再生停止操作を行わなければならなかったものが、自動でシャットダウン可能となるため、ＨＤＤの保護を適切に行うことができる。
【００１９】
なお、図１に示した例では、１つの無停電電源装置１０に対してＨＤＤ内蔵型テレビ１２、ＨＤＤレコーダ１３の２つの電子機器が接続されている構成としたが、このように複数の機器が接続されている場合、これらが同一メーカーの製品であれば、１つのリモコン情報に基づいて対応できる可能性がある。異なるメーカー製品である場合には、マルチリモコン機能を有する操作部１５を複数設けることで対応可能である。
【実施例２】
【００２０】
図２に示すのは、本発明の電源システムの第２の実施例を表した構成図である。前記実施例１においては、様々なメーカーの種々の電子機器に対応してリモコン情報を取得するためのマルチリモコン機能を備えた操作部１５を無停電電源装置１０とは独立させて設けた構成としたが、この実施例２においては、マルチリモコン機能及び取得したリモコン情報を記憶する機能を無停電電源装置２０の内部に設けた構成となっている。この無停電電源装置２０に、赤外線送受信部１７が赤外線通信ケーブル１８を介して接続されている。
【００２１】
このような構成において停電が発生した場合の動作は、図３に示すフローチャートと略同様の流れであり、予めリモコン情報を取得し、かつ赤外線送受信部１７を電子機器と赤外線通信が可能な位置に設置した状態において、停電発生時に赤外線によるシャットダウン信号を出力してＨＤＤ内蔵型テレビ１２やＨＤＤレコーダ１３をシャットダウンさせることが可能となる。
【実施例３】
【００２２】
図４に示すのは、本発明の電源システムの第３の実施例を表した構成図である。図４に示すように、無停電電源装置１０には商用電源１１が接続されており、無停電電源装置１０に電力ライン１４を介して接続されたＨＤＤ内蔵型テレビ２３、ＨＤＤレコーダ２４等の電子機器に電力を供給するとともに、内部のバッテリを充電して停電時に備える。
また、ネットワークケーブル１９をスイッチングハブ、ルータ等のネットワーク接続機器２１に接続し、このネットワーク接続機器２１からのネットワークケーブル２２をＨＤＤ内蔵型テレビ２３、ＨＤＤレコーダ２４等の電子機器に接続する。
【００２３】
前記ＨＤＤ内蔵型テレビ２３、ＨＤＤレコーダ２４等の電子機器は、無停電電源装置１０からネットワーク経由で送信されるシャットダウン命令信号を受信してシャットダウン動作を行う機能を有している。
【００２４】
以上のような構成により、実施例３の電源システムによれば、無停電電源装置１０は、停電発生時にネットワークを経由してシャットダウン命令信号を出力してＨＤＤ内蔵型テレビ２３やＨＤＤレコーダ２４をシャットダウンさせることが可能となる。また、ネットワーク接続されているため、シャットダウンする直前にＨＤＤ内蔵型テレビ２３やＨＤＤレコーダ２４から無停電電源装置１０に対してシャットダウン完了を知らせる信号を送信するようにし、無停電電源装置１０でシャットダウン完了を知らせる信号を受信してから動作を停止するように構成することも可能である。
【００２５】
前記実施例１乃至３においては、停電発生後バッテリ運転に切り替わった直後にシャットダウン動作に移行するものとして説明したが、これに限定されるものではなく、バッテリ運転を継続してバッテリ残量が少なくなった段階でシャットダウン動作に移行するようにしてもよい。この場合、例えば、バッテリ残量をバッテリ電圧値によってモニタリングして、バッテリ電圧が所定値以下に低下した後にシャットダウン動作に移行するようにすることもできる。
このような構成とすることで、停電発生後もバッテリによって運転を継続し、バッテリ残量が少なくなってからシャットダウン動作を行うため、例えば、ＨＤＤレコーダにおいて録画中であった場合には、停電後もバッテリ残量が少なくなるまで録画動作を継続することができ、かつ、安全にシャットダウン動作が行える。
【図面の簡単な説明】
【００２６】
【図１】本発明による電源システムの第１の実施例を表した構成図である。
【図２】本発明による電源システムの第２の実施例を表した構成図である。
【図３】図１の構成において停電が発生した場合の動作の流れを表したフローチャートである。
【図４】本発明による電源システムの第３の実施例を表した構成図である。
【符号の説明】
【００２７】
１０…無停電電源装置、１１…商用電源、１２…ＨＤＤ内蔵型テレビ、１３…ＨＤＤレコーダ、１４…電力ライン、１５…操作部、１６…信号ケーブル、１７…赤外線送受信部、１８…赤外線通信ケーブル、１９…ネットワークケーブル、２０…無停電電源装置、２１…ネットワーク接続機器、２２…ネットワークケーブル、２３…ＨＤＤ内蔵型テレビ、２４…ＨＤＤレコーダ。
【図１】
0004796561.tif 000002
【図２】
0004796561.tif 000003
【図３】
0004796561.tif 000004
【図４】
0004796561.tif 000005